(57)【要約】【課題】従来のコップ付容器は副収容品を収容するための副収容室の容積が増減できなかった。このため、副収容品の大きさに合わせて容器とコップを製造する必要があった。本発明は、上記事情に鑑みなされたもので、副収容品の大きさに合わせてその都度容器とコップを改めて製造することがなく、容器とコップで形成される副収容室の容積の増減することのできるコップ付容器及びコップが取り付け可能な容器の提供を目的とする。【解決手段】本発明に係るコップ付容器１００及びコップが取り付け可能な容器１１は、容器１１にコップ１２をかぶせて副収容室４２を形成し、副収容室４２に容器内の製品とは異なる副収容品を収容するコップ付容器１００であって、コップ１２の容器１１に対する挿込み量４１を変化させても副収容室４２を所望の空寸量にて固定の可能な凹凸部２１、２２を、コップ１２の内周面と容器１１の外周面とに設けたことを特徴とする。【選択図】図１
2007176535.tif 000002
【特許請求の範囲】
【請求項１】
少なくとも一部が円筒形状である胴体を有する容器と、少なくとも一部が円筒形状である胴体を有するコップと、を備え、前記容器に前記コップをかぶせて前記容器の円筒形状部分の外周面に前記コップの円筒形状部分の内周面を合わせることによって、前記コップを取り付けたコップ付容器において、
前記コップの円筒形状部分の内周面に凹面若しくは凸面のいずれか一方又は両方を前記コップの円筒形状の軸方向に沿って１つ以上配設したコップ側凹凸部と、
前記コップの前記容器に対する挿込み量を所定量変化させて前記コップの内壁面と前記容器の蓋面若しくは底面で囲まれた副収容室の容積を増減させたとき、前記容器の円筒形状部分の外周面のうち前記コップ側凹凸部と接触しうる部分に設けた、前記コップ側凹凸部に咬合する形状の容器側凹凸部と、を有することを特徴とするコップ付容器。
【請求項２】
前記コップ側凹凸部若しくは前記容器側凹凸部の形状のうちいずれか一方又は両方が、ねじ山又はねじ溝の形状であることを特徴とする請求項１に記載のコップ付容器。
【請求項３】
前記容器が、前記容器の円筒形状の軸方向に沿って前記コップに対して相対的に移動したときに前記コップ側凹凸部とぶつかり合わない容器側平坦部をその円筒形状部分の外周面に有し、
前記コップが、前記コップの円筒形状の軸方向に沿って前記容器に対して相対的に移動したときに前記容器側凹凸部とぶつかり合わないコップ側平坦部をその円筒形状部分の内周面に有することを特徴とする請求項１又は２に記載のコップ付容器。
【請求項４】
前記容器の円筒形状部分の外周面又は前記コップの円筒形状部分の内周面のうちいずれか一方或いは両方に、前記容器の円筒形状の周方向に沿った前記コップの回動を固定する固定部を設けたことを特徴とする請求項１、２又は３に記載のコップ付容器。
【請求項５】
前記容器の胴体の外周面のうち、前記容器側凹凸部よりも底に近い部分に、凹面若しくは凸面のいずれか一方又は両方を前記容器の円筒形状の軸方向に沿って１つ以上配設した底側凹凸部を設けたことを特徴とする請求項１、２、３又は４に記載のコップ付容器。
【請求項６】
少なくとも一部が円筒形状である胴体を有する容器に、少なくとも一部が円筒形状である胴体を有し、かつ、該胴体の円筒形状部分の内周面に凹面若しくは凸面のいずれか一方又は両方を円筒形状の軸方向に沿って１つ以上配設したコップ側凹凸部を有するコップをかぶせ、前記容器の円筒形状部分の外周面に前記コップの円筒形状部分の内周面を合わせることによって、前記コップを取り付けることが可能な容器において、
前記コップの前記容器に対する挿込み量を所定量変化させて前記コップの内壁面と前記容器の蓋面若しくは底面で囲まれた副収容室の容積を増減させたとき、前記容器の円筒形状部分の外周面のうち前記コップ側凹凸部と接触しうる部分に、前記コップの凹凸部に咬合する形状の容器側凹凸部を設けたことを特徴とするコップが取り付け可能な容器。
【請求項７】
請求項１、２、３、４又は５に記載のコップ付容器の前記容器に収容されていることを特徴とする製品。
【請求項８】
請求項６に記載のコップが取り付け可能な容器に収容されていることを特徴とする製品。
【請求項９】
少なくとも一部が円筒形状である胴体を有するコップを、少なくとも一部が円筒形状である胴体を有し、かつ、該胴体の円筒形状部分の外周面に凹面若しくは凸面のいずれか一方又は両方を円筒形状の軸方向に沿って１つ以上配設した容器側凹凸部を有する容器にかぶせ、前記容器の円筒形状部分の外周面に前記コップの円筒形状部分の内周面を合わせることによって、前記容器に取り付けることが可能なコップにおいて、
前記コップの前記容器に対する挿込み量を所定量変化させて前記コップの内壁面と前記容器の蓋面若しくは底面で囲まれた副収容室の容積を増減させたとき、前記コップの円筒形状部分の内周面のうち前記容器側凹凸部と接触しうる部分に、前記容器の凹凸部に咬合する形状のコップ側凹凸部を設けたことを特徴とする容器に取り付け可能なコップ。
【発明の詳細な説明】
【技術分野】
【０００１】
本発明は、製品を収容する缶などの容器にコップを取り付けて景品やおつまみ等の副収容品を収容するコップ付容器、当該コップ付容器に収容されている製品、コップが取り付け可能な容器及び容器に取り付け可能なコップに関する。
【背景技術】
【０００２】
飲料、調味料、食品、医薬品又は化粧品或いは日用品等の容器、例えば、ガラス壜、陶器製の壜、ペットボトル、ボトル缶、２ピース缶又は３ピース缶に、コップ又は蓋とは別のキャップを嵌合させた容器が店頭に陳列されて販売されている（例えば、特許文献１、２、３、４、５又は６参照。）。
【特許文献１】特開２００５−１４９１１号公報
【特許文献２】特開２００４−４３００８号公報
【特許文献３】特開２００４−２７６９７５号公報
【特許文献４】特開２００１−４８１８０号公報
【特許文献５】実開平６−３９７６５号公報
【特許文献６】実登３０６３８３２号公報
【発明の開示】
【発明が解決しようとする課題】
【０００３】
しかし、従来のコップ付容器は副収容品を収容するための副収容室の容積が増減できなかった。このため、副収容品の大きさに合わせて容器とコップを製造する必要があった。本発明は、上記事情に鑑みなされたもので、副収容品の大きさに合わせてその都度容器とコップを改めて製造することがなく、容器とコップで形成される副収容室の容積の増減することのできるコップ付容器、コップが取り付け可能な容器及び容器に取り付け可能なコップの提供を目的とする。
【課題を解決するための手段】
【０００４】
本発明に係るコップ付容器、コップが取り付け可能な容器及び容器に取り付け可能なコップは、容器にコップをかぶせて副収容室を形成し、容器内の製品とは異なる副収容品を収容するコップ付容器であって、コップの容器に対する挿込み量を変化させても所望の空寸量にて固定の可能な凹凸部を、コップの内周面と容器の外周面とに設けたことを特徴とする。
【０００５】
本発明に係るコップ付容器は、具体的には少なくとも一部が円筒形状である胴体を有する容器と、少なくとも一部が円筒形状である胴体を有するコップと、を備え、前記容器に前記コップをかぶせて前記容器の円筒形状部分の外周面に前記コップの円筒形状部分の内周面を合わせることによって、前記コップを取り付けたコップ付容器において、前記コップの円筒形状部分の内周面に凹面若しくは凸面のいずれか一方又は両方を前記コップの円筒形状の軸方向に沿って１つ以上配設したコップ側凹凸部と、前記コップの前記容器に対する挿込み量を所定量変化させて前記コップの内壁面と前記容器の蓋面若しくは底面で囲まれた副収容室の容積を増減させたとき、前記容器の円筒形状部分の外周面のうち前記コップ側凹凸部と接触しうる部分に設けた、前記コップ側凹凸部に咬合する形状の容器側凹凸部と、を有することを特徴とする。
【０００６】
本発明に係るコップ付容器では、前記コップ側凹凸部若しくは前記容器側凹凸部の形状のうちいずれか一方又は両方が、ねじ山又はねじ溝の形状であることが好ましい。ネジの構造を用いて容器にコップを取り付けることができるので、容器に対するコップの挿込み量を無段階に変化させることができる。よって、副収容室の容積を無段階で増減することができる。
【０００７】
本発明に係るコップ付容器では、前記容器が、前記容器の円筒形状の軸方向に沿って前記コップに対して相対的に移動したときに前記コップ側凹凸部とぶつかり合わない容器側平坦部をその円筒形状部分の外周面に有し、前記コップが、前記コップの円筒形状の軸方向に沿って前記容器に対して相対的に移動したときに前記容器側凹凸部とぶつかり合わないコップ側平坦部をその円筒形状部分の内周面に有することが好ましい。まず、コップ側凹凸部と容器側平坦部及び容器側凹凸部とコップ側平坦部とをそれぞれ合わせて、咬合させずにコップの容器に対する挿込み量を変化させ、続いてそのときの最も近い位置に配置されているコップ側凹凸部と容器側凹凸部とを咬合させることができる。これにより、副収容室の容積を段階的に増減することができる。又、容器に対するコップの回動を経ることなくコップの容器に対する挿込み量をすばやく変化させることができるので、副収容室の容積の増減が容易であり、かつ、コップの着脱が容易である。
【０００８】
本発明に係るコップ付容器では、前記容器の円筒形状部分の外周面又は前記コップの円筒形状部分の内周面のうちいずれか一方或いは両方に、前記容器の円筒形状の周方向に沿った前記コップの回動を固定する固定部を設けることが好ましい。固定部がコップの回動を固定するので、容器とコップを固定することができる。
【０００９】
本発明に係るコップ付容器では、前記容器の胴体の外周面のうち、前記容器側凹凸部よりも底面に近い部分に、凹面若しくは凸面のいずれか一方又は両方を前記容器の円筒形状の軸方向に沿って１つ以上配設した底側凹凸部を設けることが好ましい。底側凹凸部が容器の円筒形状の軸方向への手の滑りを防ぐので、副収容室の容積の増減の作業が容易になる。又、コップを外したときに持ち歩きやすくすることができる。
【００１０】
本発明に係るコップが取り付け可能な容器は、少なくとも一部が円筒形状である胴体を有する容器に、少なくとも一部が円筒形状である胴体を有し、かつ、該胴体の円筒形状部分の内周面に凹面若しくは凸面のいずれか一方又は両方を円筒形状の軸方向に沿って１つ以上配設したコップ側凹凸部を有するコップをかぶせ、前記容器の円筒形状部分の外周面に前記コップの円筒形状部分の内周面を合わせることによって、前記コップを取り付けることが可能な容器において、前記コップの前記容器に対する挿込み量を所定量変化させて前記コップの内壁面と前記容器の蓋面若しくは底面で囲まれた副収容室の容積を増減させたとき、前記容器の円筒形状部分の外周面のうち前記コップ側凹凸部と接触しうる部分に、前記コップの凹凸部に咬合する形状の容器側凹凸部を設けたことを特徴とする。
【００１１】
本発明に係る製品は、前述したコップ付容器の前記容器に収容されていることを特徴とする。又、本発明に係る製品は、前述したコップが取り付け可能な容器に収容されていることを特徴とする。
【００１２】
本発明に係る容器に取り付け可能なコップは、少なくとも一部が円筒形状である胴体を有するコップを、少なくとも一部が円筒形状である胴体を有し、かつ、該胴体の円筒形状部分の外周面に凹面若しくは凸面のいずれか一方又は両方を円筒形状の軸方向に沿って１つ以上配設した容器側凹凸部を有する容器にかぶせ、前記容器の円筒形状部分の外周面に前記コップの円筒形状部分の内周面を合わせることによって、前記容器に取り付けることが可能なコップにおいて、前記コップの前記容器に対する挿込み量を所定量変化させて前記コップの内壁面と前記容器の蓋面若しくは底面で囲まれた副収容室の容積を増減させたとき、前記コップの円筒形状部分の内周面のうち前記容器側凹凸部と接触しうる部分に、前記容器の凹凸部に咬合する形状のコップ側凹凸部を設けたことを特徴とする。
【発明の効果】
【００１３】
本発明に係るコップ付容器、コップが取り付け可能な容器及び容器に取り付け可能なコップは、円筒形状となった容器の外周面及びコップの内周面が、コップの容器に対する挿込み量を変化させた場合にも咬合しているので、コップの容器に対する挿込み量を所定範囲内で自在に調整しつつ、かつ、コップを容器に取り付けることができる。副収容品の大きさに合わせてその都度容器及びコップを改めて製造することがなく、副収容品の大きさに応じて容器とコップで形成される副収容室の容積を増減させて、容器にコップを取り付けることができる。
【発明を実施するための最良の形態】
【００１４】
添付の図面を参照して本発明の実施の形態を説明する。以下に説明する実施の形態は本発明の構成の例であり、本発明は、以下の実施の形態に制限されるものではない。
【００１５】
（実施形態１）
図１は、本実施形態に係るコップ付容器の第１形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。図１に示すコップ付容器１００は、少なくとも一部が円筒形状である胴体を有し、製品を収容する容器１１（図１（ａ）、図１（ｃ））と、少なくとも一部が円筒形状である胴体を有するコップ１２（図１（ｂ））と、を備え、容器１１にコップ１２をかぶせて容器１１の円筒形状部分の外周面３１にコップ１２の円筒形状部分の内周面３２を合わせることによって、コップ１２を取り付けている（図１（ｄ））。ここで、コップ１２は、円筒形状部分の内周面３２にコップ側凹凸部２２（図１（ｂ））を有する。一方、容器１１は、円筒形状部分の外周面３１に、コップ側凹凸部２２と咬合する容器側凹凸部２１（図１（ａ））を有する。そして、図１（ｄ）に示すように、容器側凹凸部２１とコップ側凹凸部２２が咬合することで、容器１１にコップ１２を固定する。
【００１６】
コップ１２は、少なくとも一部が円筒形状である胴体を有し、容器１１にコップ１２をかぶせて容器１１の円筒形状部分の外周面３１にコップ１２の円筒形状部分の内周面３２を合わせる。コップ１２の円筒形状の軸１０１と容器１１の円筒形状の軸１０２とが同軸１０３上になるように、容器１１の蓋面３３側からコップ１２がかぶせられる。このため、コップ１２の内径は容器１１の外径よりも大きいことが好ましく、容器１１にかぶせた状態で、容器１１の円筒形状の軸１０２方向に沿ってコップ１２を移動させ、かつ、容器１１の円筒形状の周方向１１０にコップ１２を回動することができる。なお、容器１１の底面３４側からコップ１２がかぶせられる形態としてもよい。
【００１７】
コップ１２は、図１（ｄ）に示すように、コップ１２の内壁面と容器１１の蓋面３３で囲まれた副収容室４２を形成する。副収容室４２は容器１１内の製品（中身）とは異なる副収容品を収容する。副収容品は、例えば、おつまみや景品がある。副収容室４２の他の例は、コップ１２を容器１１の底面３４側から挿し込んだときに区画される、コップ１２の内壁面と容器１１の底面３４で囲まれた室である。
【００１８】
コップ１２は、図１（ｄ）に示すように、コップ１２の容器１１に対する挿込み量４１を所定量変化させてコップ１２の内壁面と容器１１の蓋面３３で囲まれた副収容室４２の容積を増減させる。挿込み量４１は、例えば、容器１１の蓋３３側からコップ１２の口部３６までの高さである。容器１１が３５０ｍＬ缶（高さ１２２ｍｍ）であって、コップ１２の容器１１に対する挿込み量４１が最も少ないとき、容器１１の底面３４からコップの内底３５までの高さ１０４が５００ｍＬ缶の高さである１６５ｍｍに略等しいことが好ましい。５００ｍＬ缶のカートンが使用できるからである。この場合、副収容室４２の増減範囲は、容器１１の蓋面３３からコップ１２の内底３５までの副収容室４２の高さ１０５で略０ｍｍ以上３５ｍｍ以下となることが好ましい。
【００１９】
コップ１２は、図１（ｂ）に示すように、コップ１２の円筒形状の軸１０１方向に沿って１つ以上配設されたコップ側凹凸部２２を備える。コップ側凹凸部２２は、例えば、コップ１２の円筒形状の軸１０１方向に沿って８つ配設された凸面４３ａ〜４３ｈである。コップ側凹凸部２２が凸面であることで、コップ１２の外周面を凹ませて形成できるので、容易に作製することができる。図１（ｂ）では、コップ側凹凸部２２のうちのコップ１２の正面に配設される部分が、コップ１２の外周面に現れた溝として実線で示されている。図１（ｂ）では、コップ１２の外周面を凹ませてコップ１２の内周面に凸面を形成しているが、コップ１２の外周面は平坦であってもよい。又、図１（ｂ）に示すコップ側凹凸部２２は、凹面であってもよいし、凹凸面であってもよい。又、コップ側凹凸部２２が凹面である場合に、これに対応させてコップ１２の胴体の外周面に凸形状を形成すれば、コップ１２を手で握る際の滑り止めとしても利用することができる。
【００２０】
８つの凸面４３ａ〜４３ｈは、コップ１２の円筒形状の軸１０１方向に沿って配設されている。凸面４３ａがコップ１２の内底３５側に配設され、凸面４３ｈがコップ１２の口部３６側に配設されている。凸面４３ａ及び凸面４３ｂ、凸面４３ｃ及び凸面４３ｄ、凸面４３ｅ及び凸面４３ｆ並びに凸面４３ｇ及び凸面４３ｈは、容器側凹凸部２１が咬合する間隔を空けて配設されている。８つの凸面４３ａ〜４３ｈは、平行に配設されていることが好ましい。
【００２１】
図１に示す容器１１は、少なくとも一部が円筒形状である胴体を有し、製品を収容する。製品とは、中身であり、例えば、飲料、調味料、食品、医薬品又は化粧品或いは日用品である。容器１１は、例えば、ガラス壜、陶器製の壜、ペットボトル、ボトル缶、２ピース缶又は３ピース缶がある。缶の材質は、例えばアルミ、鉄、プラスチック、紙又はこれらの複合材料がある。製品は飲料であることが好ましく、容器１１は３５０ｍＬ以下の飲料を収容する２ピース缶又は３ピース缶であることが好ましい。例えば、円筒形状の軸１０２方向の両端に、蓋面３３と底面３４が設けられており、蓋面３３に注ぎ口が設けられている。
【００２２】
容器側凹凸部２１（図１（ａ））は、コップ側凹凸部２２と咬合する凹面若しくは凸面のいずれか一方又は両方である。容器側凹凸部２１は、例えば、図１（ａ）に示すような、容器１１の胴体の円筒形状の軸１０２の同一横断面上に形成されている４つの凸面４５ａ，４５ｂ，４５ｃ，４５ｄである。４つの凸面４５ａ〜４５ｄは、容器１１の胴体の円筒形状の周方向に等間隔に配設されている。容器１１の蓋面３３側にコップ１２がかぶせられるので、容器側凹凸部２１は、容器１１の円筒形状の外周面３１のうちの蓋面３３側の端部に配置されることが好ましい。なお、図１（ａ）では、容器側凹凸部２１が４つの凸面４５ａ〜４５ｄである例を示したが、凸面４５ａのみでもよい。又、容器側凹凸部２１の凹面若しくは凸面のいずれか一方又は両方は、例えば、ブロー加工、エンボス加工又はプレス加工にて形成する。
【００２３】
容器側凹凸部２１が４つの凸面４５ａ，４５ｂ，４５ｃ，４５ｄであることで、容器１１の円筒形状の外周面３１に凹面を設けることなくコップ１２を固定することができる。これにより、容器１１の外周面３１に形成される凹凸を少なくすることができるので、従来からの容器１１の外観を変えずにコップが取り付け可能な容器とすることができる。
【００２４】
容器側凹凸部２１（図１（ａ））は、１つの凸面からなるもので良いが、２つ以上設けるものであれば、例えば、容器１１の円筒形状の軸１０２方向に沿って並べて形成した凸面とする（不図示）。ここで凸面は、凹面であってもよいし、凸面及び凹面の組み合わせであってもよい。容器１１が容器側凹凸部２１を備えることで、コップ１２の容器１１への挿込み量を固定することができる。又、容器側凹凸部２１は、コップ１２のかぶせられていない状態では、容器１１の模様とすることができる。
【００２５】
容器側凹凸部（図１（ａ）に示す符号２１）は、図１（ｄ）に示すように、コップ１２の容器１１に対する挿込み量４１を所定量変化させてコップ１２の内壁面と容器１１の蓋面３３で囲まれた副収容室４２の容積を増減させたとき、容器１１の円筒形状部分の外周面３１のうちコップ側凹凸部（図１（ｂ）に示す符号２２）と接触しうる部分が、コップ側凹凸部（図１（ｂ）に示す符号２２）と咬合する。図１（ｄ）では、コップ１２の正面が切り取られており、切り取られた部分に配置されているコップ側凹凸部（図１（ｂ）に示す符号２２）が２点鎖線で示されている。又、容器側凹凸部（図１（ａ）に示す符号２１）の一部である凸面４５ａが、コップ側凹凸部（図１（ｂ）に示す符号２２）の一部である凸面４３ｅと凸面４３ｆとの間に咬合している例を示す。凸面４５ａが凸面４３ｅと凸面４３ｆとの間に咬合することで、容器１１に対するコップ１２の挿込み量４１を固定する。
【００２６】
図２は、図１（ｄ）のＡ−Ａ’断面を示す。凸面４３ｅ及び凸面４３ｆは、凸面４５ａの幅と同程度の間隔で配置されていることが好ましい。又、凸面４５ａの凸の高さが、凸面４３ｅ及び凸面４３ｆの凸の高さよりも大きくなっていることが好ましい。図２では凸面４５ａについて説明したが、凸面４５ｂ，４５ｃ，４５ｄについても同様の関係が成り立つ。
【００２７】
図１（ａ）に示す凸面４５ａは、図１（ｂ）に示す凸面４３ａと凸面４３ｂとの間、図１（ｂ）に示す凸面４３ｃと凸面４３ｄとの間、図１（ｂ）に示す凸面４３ｅと凸面４３ｆとの間、又は、図１（ｂ）に示す凸面４３ｇと凸面４３ｈとの間のいずれであっても咬合する。凸面４５ａを、軸１０１方向に沿って分布するコップ側凹凸部２２に咬合させることができる。これにより、コップ１２の容器１１に対する挿込み量４１を変化させても、それぞれの挿込み量にて固定することができる。なお、不図示ではあるが、容器の円筒形状の内周面に図１（ｂ）のコップ側凹凸部２２の形状と同様の形状の容器側凹凸部を設け、一方、コップの円筒形状の外周面に図１（ａ）の容器側凹凸部２１の形状と同様の形状のコップ側凹凸部を設けてもよい。すなわち、図１（ａ）及び図１（ｂ）における容器側凹凸部２１の形状と、コップ側凹凸部２２の形状との関係を入れ替えてもよい。
【００２８】
図３は、本実施形態に係るコップ付容器の副収容室を最小としたときの概略図であり、容器にコップをかぶせたときの容器の正面図及びコップの縦断面図を示す。図３に示す凸面４５ａは、凸面４３ａと凸面４３ｂとの間に咬合している。凸面４３ａは、コップ側凹凸部２２に配設されている８つの凸面４３ａ〜４３ｈのうち、最もコップ１２の内底３５側に配設されている。このため副収容室の高さ（図１（ｄ）に示す符号１０５）が最低となる。このとき、副収容室（図１（ｄ）に示す符号４２）の高さ（図１（ｄ）に示す符号１０５）は略０ｍｍであることが好ましい。なお、図３では、凸面４５ａについて説明したが、図１（ｃ）に示す凸面４５ｂ，４５ｃ，４５ｄについても同様の関係が成り立つ。
【００２９】
図１（ｂ）に示すように、８つの凸面４３ａ〜４３ｈは、軸１０１に沿って内底３５側から順に配設されている。このため、図１（ｄ）に示す凸面４５ａは、図１（ｂ）に示す凸面４３ａと凸面４３ｂとの間に咬合するとき、図１（ｂ）に示す凸面４３ｃと凸面４３ｄとの間に咬合するとき、図１（ｂ）に示す凸面４３ｅと凸面４３ｆとの間に咬合するとき、図１（ｂ）に示す凸面４３ｇと凸面４３ｈとの間に咬合するとき、の順に、４つの段階で副収容室４２の容積を増加することができる。このように、図１（ｄ）に示すコップ付容器１００は、段階的に副収容室４２の容積を増減させ、容器１１とコップ１２の挿込み量４１を固定することができる。挿込み量４１を変化させる所定量は、例えば、凸面４３ａから凸面４３ｇまでの間隔である。又、副収容室４２が最大のとき、副収容室４２の高さ１０５は略３５ｍｍであることが好ましい。図１に示したコップ付容器１００では、コップ１２の容器１１への挿込み量４１の固定は軸１０３方向に沿った移動の固定である。
【００３０】
以上説明したように、本実施形態に係るコップ付容器（図１（ｄ）に示す符号１００）は、円筒形状となった容器１１の外周面３１及びコップ１２の内周面３２が、コップ１２の容器に対する挿込み量４１を変化させた場合にも咬合するようにしておくことで、コップ１２の容器１１に対する挿込み量４１を変化させても、コップ１２の容器１１への挿込み量４１を固定することができる。これにより、本実施形態に係るコップ１２が取り付け可能な容器１１及びコップ付容器は、副収容品の大きさに合わせてその都度容器１１及びコップ１２を改めて製造することなく、容器１１とコップ１２で形成される副収容室４２の容積を増減し、容器１１にコップ１２を取り付けることができる。
【００３１】
本実施形態に係るコップ付容器では、容器１１の周方向１１０に沿ったコップ１２の回動を制限する制止部２７を設けることが好ましい。制止部２７は、例えば、図１（ｂ）及び図１（ｄ）に示す４つの凸面４４ａ〜４４ｄである。４つの凸面４４ａ〜４４ｄは、コップ１２の円筒形状部分の内周面３２に、コップ１２の円筒形状部分の軸１０１方向に沿って形成されている。例えば、凸面４４ａは、凸面４３ａと凸面４３ｂの間にまたがって配設され、凸面４３ａと凸面４３ｂの間に咬合されている凸面４５ａの周方向１１０へ移動を制限する。さらに、図１（ｂ）に示すように、４つの凸面４４ａ〜４４ｄは、隣接する８つの凸面４３ａ〜４３ｈ同士を蛇行状に連結することによって形成されていてもよい。
【００３２】
図１（ｄ）に示すコップ付容器１００では、図１（ａ）、図１（ｂ）及び図１（ｃ）に示すように、容器１１が、その円筒形状部分の外周面３１に、容器１１の円筒形状の軸１０２方向に沿ってコップ１２に対して相対的に移動したときにコップ側凹凸部２２とぶつかり合わない容器側平坦部２４を有し、コップ１２が、その円筒形状部分の内周面３２に、コップ１２の円筒形状の軸１０１方向に沿って容器１１に対して相対的に移動したときに容器側凹凸部２１とぶつかり合わないコップ側平坦部２５を有することが好ましい。図１（ａ）及び図１（ｃ）に示すように、容器側平坦部２４は、例えば、容器側凹凸部２１の設けられていない部分である。容器側平坦部２４は、コップ側凹凸部２２について容器１１の円筒形状の軸１０２方向に沿った移動を可能にする。このため、容器側平坦部２４は、コップ側凹凸部２２の周方向１１０の幅よりも広いことが好ましい。又、図１（ｂ）及び図１（ｄ）に示すコップ側平坦部２５は、例えば、コップ側凹凸部２２の設けられていない部分である。コップ側平坦部２５は、容器側凹凸部２１についてコップ１２の円筒形状の軸１０１方向に沿った移動を可能にする。このため、コップ側平坦部２５は、容器側凹凸部２１の周方向１１０の幅よりも広いことが好ましい。
【００３３】
容器側平坦部２４及びコップ側平坦部２５を設けることで、容器１１にコップ１２をかぶせたときに、容器側平坦部２４及びコップ側平坦部２５が互いにぶつかり合わないため、コップ１２の容器１１に対する挿込み量４１を軸１０３方向に沿って変化させることができる。軸１０３を中心にコップ１２を回動させれば、そのときに最も近い位置に配置されているコップ側凹凸部２２と容器側凹凸部２１とを咬合させることができる。これにより、副収容室４２の容積を段階的に増減することができる。又、容器１１に対するコップ１２の回転を経ることなくコップ１２の容器１１に対する挿込み量４１を変化させることができるので、副収容室４２の容積の増減が容易であり、かつ、コップ１２の着脱が容易である。
【００３４】
図１（ｄ）に示すコップ付容器１００では、図１（ａ）に示すように、容器１１の胴体の外周面３１のうち、容器側凹凸部２１よりも底面３４に近い部分に、容器１１の円筒形状の軸方向１０２に凹面若しくは凸面のいずれか一方又は両方を円筒形状の軸１０２方向に沿って１つ以上配設した底側凹凸部２３を設けることが好ましい。底側凹凸部２３が容器１１の円筒形状の軸１０２方向への手の滑りを防ぐので、容器１１に対するコップ１２の挿抜が容易になり、副収容室４２の容積の増減が容易になる。又、コップ１２を外したときに持ち歩きやすくすることができる。
【００３５】
（実施形態２）
図４は、本実施形態に係るコップ付容器の第２形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。図４に示すコップ付容器３００は、実施形態１で説明したコップ付容器１００と同様に、容器１１は容器側凹凸部２１（図４（ａ）、図４（ｃ））を有し、コップ１２はコップ側凹凸部２２（図４（ｂ））を有しており、容器１１にコップ１２をかぶせて容器１１の円筒形状部分の外周面３１にコップの円筒形状部分の内周面３２を合わせたときに、容器側凹凸部（図４（ａ）に示す符号２１）とコップ側凹凸部（図４（ｂ）に示す符号２２）が咬合することで容器１１にコップ１２を固定する（図４（ｄ））。以下、コップ付容器３００について、実施形態１で説明したコップ付容器１００との差異について説明する。
【００３６】
図４に示すコップ付容器３００は、コップ側凹凸部２２若しくは容器側凹凸部２１の形状のうちいずれか一方又は両方が、ねじ山又はねじ溝の形状である。容器側凹凸部２１とコップ側凹凸部２２とでネジの嵌合構造を形成する。コップ付容器３００は、前述の実施形態１で説明した底側凹凸部２３を備えていてもよい。
【００３７】
図４（ｂ）及び図４（ｄ）に示すコップ側凹凸部２２は、コップ１２の円筒形状の内周面３２をらせん状に周回する凸条５１を有する。凸条５１は、例えば図２に示す凸面４３ｅ及び凸面４３ｆのように、コップ１２の円筒形状の軸１０３方向に沿って凸面を並べて形成する。容器側凹凸部２１が凸条５１同士の間に咬合する。
【００３８】
図４（ｂ）では、凸条５１のうちのコップ１２の正面に配設される部分が、コップ１２の外周面に現れた溝として実線で示されている。又、凸条５１のうちのコップ１２の背面に配設される部分が破線で示されている。図４（ｄ）では、コップ１２の正面が切り取られており、切り取られた部分に配置されている凸条５１が２点鎖線で示され、コップ１２の内周面３２に配置されている凸条５１が実線で示されている。
【００３９】
図４（ａ）、図４（ｃ）に示す容器側凹凸部２１は、容器１１の円筒形状の外周面に凸条５２ａ，５２ｂ，５２ｃ，５２ｄ，５２ｅを有する。図４（ａ）には、正面に配置されている凸条５２ａ，５２ｂ，５２ｃが実線で示されており、背面に配置されている凸条５２ｄ，５２ｅが破線で示されている。凸条５２ａ，５２ｂ，５２ｃは、蓋面３３側から順に等間隔で平行に配置されている。一方、凸条５２ｄ，５２ｅも、蓋面３３側から順に等間隔で平行に配置されている。そして、凸条５２ａ，５２ｂ，５２ｃ，５２ｄ，５２ｅは、容器１１の円筒形状の外周面をらせん状に周回する１本の凸条を形成するよう容器１１の円筒形状の外周面を一部周回して断続的に配置されている。そして、凸条５２ａ，５２ｂ，５２ｃ，５２ｄ，５２ｅが凸条５１同士の間に咬合する。
【００４０】
図４（ｄ）のＣ−Ｃ’断面図は、前述の図２の断面図と同様となる。例えば、図２の凸面４５ａが図４（ａ）に示す凸条５２ａの凸面に相当する。図２の凸面４３ｅ及び凸面４３ｆが図４（ｂ）に示す凸条５１に相当する。図２では、凸面４５ａが凸面４３ｅ及び凸面４３ｆの間に形成された溝に沿って移動するが、図４についても同様である。
【００４１】
図４（ｄ）に示すコップ付容器３００は、凸条５２ａ，５２ｂ，５２ｃが凸条５１で形成された溝に咬合する。凸条５１はコップ１２の円筒形状の内周面３２をらせん状に周回するので、軸１０３を中心に容器１１に対してコップ１２が回動することによって、副収容室４２の容積が増減する。凸条５１は、図４（ｂ）に示すように、コップ１２の円筒形状の軸１０１方向に幅１０６を有するように配設されている。このため、容器１１に対してコップ１２が回動することによって、例えば、凸条５２ａの凸条５１に咬合する位置を軸１０１方向に移動させ、挿込み量４１を変化させつつ、副収容室４２の容積を増減することができる。
【００４２】
図４（ｄ）に示すコップ付容器３００は、凸条５２ａと凸条５１とを咬合させた状態を保ちながら、副収容室４２の容積を増減することができる。このように、図４（ｄ）に示すコップ付容器３００は、無段階的に副収容室４２の容積を増減させ、容器１１とコップ１２の挿込み量４１を固定することができる。挿込み量４１を変化させる所定量は、例えば、凸条５１の配設されている軸１０１方向の範囲である。このため、副収容室４２が最大になる挿込み量４１と、副収容室４２が最小になる挿込み量４１との範囲であれば、いずれの挿込み量４１であっても副収容室４２の容積を増減することができる。
【００４３】
なお、５つの凸条５２ａ〜５２ｅの軸１０２方向に配設される範囲は、図４（ｂ）に示す凸条５１の軸１０１方向に配設される範囲よりも広くてもよい。又、図４（ａ）では、５つの凸条５２ａ〜５２ｅの軸１０２方向に配設される範囲は、図４（ｂ）に示す凸条５１の軸１０１方向に配設される範囲と同程度又は広くしてもよい。５つの凸条５２ａ〜５２ｅの軸１０２方向に配設される範囲と、凸条５１の軸１０１方向に配設される範囲との両方が広いことで、図４（ｄ）に示すコップ付容器３００は、軸１０３に対する容器１１とコップ１２のぶれを少なくすることができる。
【００４４】
又、実施形態２で説明した容器側凹凸部２１（図４（ａ）及び図４（ｃ））及びコップ側凹凸部２２（図４（ｂ））は、上記実施形態で説明した形態に限定するものではない。例えば、容器側凹凸部２１は、凸条５２ａ，５２ｂ，５２ｃ，５２ｄ，５２ｅを連結した、容器１１の円筒形状の外周面を周回する１つの凸条としてもよい。又、容器側凹凸部２１は、図４（ｂ）に示す凸条５１の凸面と咬合する形状の溝としてもよい。又、コップ側凹凸部２２は、一部周回させて断続的にした凸条５１としてもよい。
【００４５】
（実施形態３）
図５は、本実施形態に係るコップ付容器の第３形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。図５に示すコップ付容器４００は、実施形態１のコップ付容器１００及び実施形態２のコップ付容器３００と同様に、容器１１は容器側凹凸部２１（図５（ａ）、図５（ｃ））を有し、コップ１２はコップ側凹凸部２２（図５（ｂ））を有しており、容器１１にコップ１２をかぶせて容器１１の円筒形状部分の外周面３１にコップの円筒形状部分の内周面３２を合わせたときに、容器側凹凸部（図５（ａ）に示す符号２１）とコップ側凹凸部（図５（ｂ）に示す符号２２）が咬合することで容器１１にコップ１２を固定する（図５（ｄ））。以下、コップ付容器４００について、実施形態２で説明したコップ付容器３００との差異について説明する。
【００４６】
図５に示すコップ付容器４００は、前述の図４（ａ）で説明した５つの凸条５２ａ〜５２ｅの配設されている容器側凹凸部２１を有し（図５（ａ）、図５（ｃ））する。又、１８つの凸条５３ａ〜５３ｒ及び１８つの凸条５８ａ〜５８ｒがコップ１２の円筒形状の軸１０１方向に沿って平行に配列されているコップ側凹凸部２２を有する（図５（ｂ））。図５（ｂ）では、コップ１２の正面に配設される１８つの凸条５３ａ〜５３ｒが、コップ１２の外周面に現れた溝として実線で示されている。又、コップ１２の背面に配設される１８つの凸条５８ａ〜５８ｒが破線で示されている。図５（ｄ）では、コップ１２の正面が切り取られており、切り取られた部分に配置されている１８つの凸条５３ａ〜５３ｒが２点鎖線で示されている。
【００４７】
図５（ｂ）に示す１８つの凸条５３ａ〜５３ｒ及び１８つの凸条５８ａ〜５８ｒは、前述の図４（ｂ）で説明した凸条５１を全面に渡り周回せずに一部周回させて断続的にしたものである。又、図５（ｄ）に示す１８つの凸条５３ａ〜５３ｒは、凸条５２ａ，５２ｂ，５２ｃと咬合する。例えば、図５（ｄ）では、凸条５３ｆ及び凸条５３ｇは、凸条５２ａと咬合している。図５（ｂ）に示す１８つの凸条５８ａ〜５８ｒは、図５（ａ）に示す凸条５２ｄ，５２ｅと咬合するが、図５（ｄ）では省略した。
【００４８】
図５（ｄ）のＤ−Ｄ’断面図は、前述の図２の断面図と同様となる。例えば、図２の凸面４５ａが図５（ａ）に示す凸条５２ａの凸面に相当する。図２の凸面４３ｅ及び凸面４３ｆが図５（ｂ）に示す凸条５３ｆ及び凸条５３ｇに相当する。図２では、凸面４５ａが凸面４３ｅ及び凸面４３ｆの間に形成された溝に沿って移動するが、図５の形態についても同様である。
【００４９】
又、実施形態３で説明した容器側凹凸部２１（図５（ａ）及び図５（ｃ））及びコップ側凹凸部２２（図５（ｂ））は、上記実施形態で説明した形態に限定するものではない。例えば、容器側凹凸部２１は、５つの凸条５２ａ〜５２ｅを連結した、容器１１の円筒形状の外周面３１を周回する１つの凸条としてもよい。又、容器側凹凸部２１は、図５（ｂ）に示す凸条５３ａ〜５３ｒ及び１８つの凸条５８ａ〜５８ｒの凸面と咬合する形状の溝としてもよい。又、容器側凹凸部２１は、５つの凸条５２ａ〜５２ｅのそれぞれの長手方向の長さを短くしてもよい。例えば、容器側凹凸部２１は、図１（ａ）に示す容器側平坦部２４と同様の平坦部を設けることのできる形状としてもよい。又、容器側凹凸部２１は、凸条５２ａ，５２ｂ，５２ｃ，５２ｄ，５２ｅを連結した、容器１１の円筒形状の外周面を周回する１つの凸条としてもよい。又、容器側凹凸部２１は、図４（ｂ）に示す凸条５１の凸面と咬合する形状の溝としてもよい。コップ側凹凸部２２は、図１（ｂ）に示すコップ側平坦部２５と同様の平坦部を設けることのできる形状としてもよい。
【００５０】
（実施形態４）
図６は、本実施形態に係るコップ付容器の第４形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。図６に示すコップ付容器５００は、図１のコップ付容器１００、図４のコップ付容器３００、図５のコップ付容器４００と同様に、容器１１は容器側凹凸部２１（図６（ａ）、図６（ｃ））を有し、コップ１２はコップ側凹凸部２２（図６（ｂ））を有しており、容器１１にコップ１２をかぶせて容器１１の円筒形状部分の外周面３１にコップの円筒形状部分の内周面３２を合わせたときに、容器側凹凸部（図６（ａ）に示す符号２１）とコップ側凹凸部（図６（ｂ）に示す符号２２）が咬合することで容器１１にコップ１２を固定する（図６（ｄ））。以下、コップ付容器５００について、実施形態１で説明したコップ付容器１００との差異について説明する。
【００５１】
図６（ａ）及び図６（ｃ）に示す容器側凹凸部２１は、容器１１の円筒形状部分の外周面３１のうちコップ側凹凸部２２と接触しうる部分に、溝５７ａ，５７ｂ，５７ｃ，５７ｄに咬合する形状の凸面５４ａ，５４ｂ，５４ｃ，５４ｄが設けられている。凸面５４ａ，５４ｂ，５４ｃ，５４ｄが容器１１の円筒形状の周方向１１０に配設されている。凸面５４ａ，５４ｂ，５４ｃ，５４ｄは、軸１０２の同一横断面上であって、容器１１の円筒形状の周方向１１０に等間隔に配設されることが好ましい。又、凸面５４ａ，５４ｂ，５４ｃ，５４ｄの形状は、半球を形成することが好ましい。なお、溝５７ａ，５７ｂ，５７ｃ，５７ｄは、コップ１２の円筒形状の内周面３２に設けられ、コップ１２の円筒形状の内周面３２をらせん状に周回する溝であってもよい。
【００５２】
図６（ｂ）に示すコップ側凹凸部２２は、８つの凸条５５ａ〜５５ｈがコップ１２の円筒形状の軸１０１方向に沿って配設されている。８つの凸条５５ａ〜５５ｈがコップ１２の円筒形状部分の内周面３２に４つの溝５７ａ，５７ｂ，５７ｃ，５７ｄを形成している。図６（ｂ）では、８つの凸条５５ａ〜５５ｈのうちのコップ１２の正面に配設される部分が、コップ１２の外周面に現れた溝として実線で示されている。又、８つの凸条５５ａ〜５５ｈのうちのコップ１２の背面に配設される部分が破線で示されている。８つの凸条５５ａ〜５５ｈは、コップ１２の円筒形状の内周面３２をらせん状に周回する。
【００５３】
図６（ｄ）では、一例として、凸面５４ａが凸条５５ｃ，５５ｄの形成する溝５７ｂと咬合する場合を示す。図６（ｄ）では、コップ１２の正面が切り取られており、切り取られた部分に配置されている８つの凸条５５ａ〜５５ｈが２点鎖線で示され、コップ１２の内周面に配置されている８つの凸条５５ａ〜５５ｈが実線で示されている。
【００５４】
図６（ｂ）及び図６（ｄ）に示すコップ１２は、コップ１２の円筒形状部分の内周面３２に、容器１１の円筒形状の周１１０方向に沿ったコップ１２の回動を固定する固定部２６が設けられていることが好ましい。固定部２６は、例えば、コップ１２の円筒形状の内周面３２のうち、凸面５４ａと咬合する凸条５５ｃと凸条５５ｄで形成される溝５７ｂの軌道上に設けられた凸面５６ａ，５６ｂである。凸条５５ｃと凸条５５ｄとで形成された溝５７ｂの軌道上に凸面５６ａ及び凸面５６ｂが設けられることで、凸条５５ｃ、凸条５５ｄ、凸面５６ａ及び凸面５６ｂを用いて４つの方向から凸面５４ａを固定することができる。これにより、凸条５５ｃと凸条５５ｄとで形成された溝５７ｂの軌道上での凸面５４ａの移動を妨ぐことができる。よって、容器１１に対するコップ１２の周方向１１０への回動を防止し、容器１１とコップ１２を固定することができる。凸面５６ａ，５６ｂは、図６（ａ）に示す４つの凸面５４ａ〜５４ｄの周１１０方向の大きさと同程度かそれよりも小さいことが好ましい。なお、不図示ではあるが、容器１１の円筒形状の外周面に図６（ｂ）のコップ側凹凸部２２の形状と同様の形状の容器側凹凸部を設け、一方、コップの円筒形状の内周面に図６（ａ）の容器側凹凸部２１の形状と同様の形状のコップ側凹凸部を設けた場合、容器側凹凸部２１に固定部２６を設けることが好ましい。又、容器１１の円筒形状部分の外周面及びコップ１２の円筒形状部分の内周面に、嵌合する凹凸を固定部２６として設けてもよい。
【００５５】
図７は、容器側凹凸部及びコップ側凹凸部の断面図であり、（ａ）は図６（ｂ）のＥ−Ｅ’断面、（ｂ）は図６（ｄ）のＦ−Ｆ’断面を示す。図７（ａ）は凸面５６ｂを通る断面を示す。凸面５６ｂは、凸面５５ｃ及び凸面５５ｄの間に形成される溝に設けられる。凸面５６ｂの凸の高さは、凸面５５ｃ及び凸面５５ｄの凸の高さよりも低く、図７（ｂ）に示す凸面５４ａの周方向１１０（図６（ｄ））への移動を完全には妨げない程度の高さとなっていることが好ましい。
【００５６】
固定部２６は、実施形態４のみならず、実施形態１、実施形態２及び実施形態３で説明したコップ付容器にさらに設けてもよい。図１に示すコップ付容器１００では、例えば、固定部は、コップ側平坦部２５のうちのコップ側凹凸部２２側に設けた凸面とする（不図示）。又、図４に示すコップ付容器３００では、例えば、固定部は、凸条５１で形成された溝と凸条５２ａとに設けられた、互いに嵌合する形状の凹凸面とする（不図示）。
【００５７】
実施形態４で説明した容器側凹凸部２１（図６（ａ）及び図６（ｃ））及びコップ側凹凸部２２（図６（ｂ））は、上記実施形態で説明した形態に限定するものではない。例えば、容器側凹凸部２１は、軸１０２方向に沿って配列してもよい。又、容器側凹凸部２１は、図６（ｂ）に示す８つの凸条５５ａ〜５５ｈの凸面と咬合する形状の溝としてもよい。又、コップ側凹凸部２２は、凸条５５ａ〜５５ｈを一部周回させて断続的にした形状としてもよい。
【産業上の利用可能性】
【００５８】
本発明は、容器とコップの間に形成される副収容室におつまみや景品を収容して販売することができるので、種類を容易に変更することができるおつまみ付の缶ビールとして販売することができる。又、清涼飲料に付帯させるノベルティを容易に変更することができる。
【図面の簡単な説明】
【００５９】
【図１】本実施形態に係るコップ付容器の第１形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。
【図２】図１（ｄ）のＡ−Ａ’断面を示す。
【図３】本実施形態に係るコップ付容器の副収容室を最小としたときの概略図であり、容器にコップをかぶせたときの容器の正面図及びコップの縦断面図を示す。
【図４】本実施形態に係るコップ付容器の第２形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。
【図５】本実施形態に係るコップ付容器の第３形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。
【図６】本実施形態に係るコップ付容器の第４形態を示す概略図であり、（ａ）は容器の正面図、（ｂ）はコップの正面図、（ｃ）は容器の上面図、（ｄ）は容器にコップをかぶせたときの容器の正面図及びコップの縦断面図を示す。
【図７】容器側凹凸部及びコップ側凹凸部の断面図であり、（ａ）は図６（ｂ）のＥ−Ｅ’断面、（ｂ）は図６（ｄ）のＦ−Ｆ’断面を示す。
【符号の説明】
【００６０】
１１  容器
１２  コップ
２１  容器側凹凸部
２２  コップ側凹凸部
２３  底側凹凸部
２４ａ，２４ｂ，２４ｃ，２４ｄ  容器側平坦部
２５  コップ側平坦部
２６  固定部
２７  制止部
３１  容器の円筒形状部分の外周面
３２  コップの円筒形状部分の内周面
３３  容器の蓋面
３４  容器の底面
３５  コップの内底
３６  コップの口部
４１  挿込み量
４２  副収容室
４３ａ，４３ｂ，４３ｃ，４３ｄ，４３ｅ，４３ｆ，４３ｇ，４３ｈ  コップの円筒形状の軸方向に形成されている凸面
４４ａ〜４４ｄ  コップの円筒形状の周方向に形成されている凸面
４５ａ，４５ｂ，４５ｃ，４５ｄ，  容器の円筒形状の軸方向に形成されている凸面
５２ａ，５２ｂ，５２ｃ，５２ｄ，５２ｅ  容器の円筒形状の外周面を一部周回する凸条
５４ａ，５４ｂ，５４ｃ，５４ｄ  容器の円筒形状の外周面に配設される凸面
５１，５５ａ，５５ｂ，５５ｃ，５５ｄ，５５ｅ，５５ｆ，５５ｇ，５５ｈ  コップの円筒形状の内周面を周回する凸条
５３ａ〜５３ｒ，５８ａ〜５８ｒ  コップの円筒形状の内周面を一部周回する凸条
５６ａ，５６ｂ  固定部を構成する凸面
５７ａ，５７ｂ，５７ｃ，５７ｄ  溝
１０１  コップの円筒形状の軸
１０２  容器の円筒形状の軸
１０３  コップと容器が重なったときの円筒形状の軸
１０４  容器の底面からコップの内底までの高さ
１０５  副収容室の高さ
１０６  コップ側凹凸部のコップの円筒形状の軸方向の幅
１００，３００，４００，５００  コップ付容器
１１０  コップ又は容器の円筒形状の周方向
【図１】
2007176535.tif 000003
【図２】
2007176535.tif 000004
【図３】
2007176535.tif 000005
【図４】
2007176535.tif 000006
【図５】
2007176535.tif 000007
【図６】
2007176535.tif 000008
【図７】
2007176535.tif 000009